(57)【要約】【課題】施工作業の作業の作業性の向上を図る。【解決手段】カバー部材４は、取付板６に設けられている第１の被取付部（固定部６６）に着脱可能に取り付けられる第１取付部４１を有している。カバー部材４は、取付板６に設けられている第２の被取付部（取付板６及び挿通孔６５）に着脱可能に取り付けられる第２取付部４２を有している。第２取付部４２は、第１取付部４１が固定部６６に取り付けられていない状態において取付板６の上面における挿通孔６５の周囲に引っ掛かる引掛片４２０を有している。【選択図】        図７
2019009020.tif 000002
【特許請求の範囲】
【請求項１】
平板状の取付板と、
前記取付板の一面における第１領域に取り付けられる光源と、
前記取付板の前記一面において前記第１領域を除く第２領域に取り付けられるカバー部材と
を備え、
前記カバー部材は、
前記取付板に設けられている第１の被取付部に着脱可能に取り付けられる第１取付部と、
前記取付板に設けられている第２の被取付部に着脱可能に取り付けられる第２取付部と
を有し、
前記第２の被取付部は、前記取付板の前記一面に開口して前記第２取付部の少なくとも一部が挿通される開口部を有し、
前記第２取付部は、前記第１取付部が前記第１の被取付部に取り付けられていない状態において前記取付板の前記一面と反対側の面における前記開口部の周囲に引っ掛かる引掛片を有している
ことを特徴とする照明装置。
【請求項２】
前記第２取付部は、前記引掛片が前記開口部の周囲に引っ掛かっている状態において前記開口部の内周面に対向して前記第２取付部の移動を規制する規制片を有している
ことを特徴とする請求項１記載の照明装置。
【請求項３】
前記第１の被取付部は、
前記取付板の前記反対側の面から突出する突壁と、
前記取付板における前記突壁の近傍に開口する穴と、
前記突壁における前記穴と向き合う面から突出する突起と
を有し、
前記第１取付部は、前記穴に挿通された状態で前記第１の被取付部の前記突起とかん合するように構成されている
ことを特徴とする請求項１又は２記載の照明装置。
【請求項４】
造営材に取り付けられて前記取付板を支持する本体と、
前記本体に対して前記取付板を着脱可能に固定する固定部材と
を備え、
前記固定部材は、前記取付板の前記第２領域において前記取付板を前記本体に固定する
ことを特徴とする請求項１〜３のいずれか１項に記載の照明装置。
【請求項５】
前記取付板は、造営材に取り付けられる本体に対して、固定部材によって着脱可能に固定されるように構成され、
前記固定部材は、前記取付板の前記第２領域において前記取付板を前記本体に固定する
ことを特徴とする請求項１〜３のいずれか１項に記載の照明装置。
【請求項６】
前記本体は、
前記固定部材によって前記取付板が固定されるベース板と、
前記ベース板の周囲を囲う枠体と
を有し、
前記枠体は、
前記第２取付部の前記引掛片が前記開口部の周囲に引っ掛かっている状態において前記カバー部材の移動を規制している
ことを特徴とする請求項４又は５記載の照明装置。
【発明の詳細な説明】
【技術分野】
【０００１】
本発明は、照明装置に関し、より詳細には、天井や壁などの造営材に取り付けて使用される照明装置に関する。
【背景技術】
【０００２】
従来例として、特許文献１記載の照明装置がある。この従来例は、器具本体と、器具本体の内部に収納される複数の光源（コンパクト蛍光灯形ＬＥＤランプ）と、電源回路とを備える。器具本体は、正方形の底板及び底板の四辺から底板と垂直に立設される側板を有するベース部材と、ベース部材の四周を囲繞する枠体とを備える。底板には、光源が着脱可能に装着される複数のソケットと、複数の反射板とが取り付けられる。複数の反射板は、複数のソケットのそれぞれに装着された複数の光源の間に配置されて各光源から放射される光を下方に反射する。また、反射板は、底板に取り付けられている複数の端子台や底板に設けられているボルト用開口部などを覆い隠している。
【先行技術文献】
【特許文献】
【０００３】
【特許文献１】特開２０１７−０５４６１１号公報
【発明の概要】
【発明が解決しようとする課題】
【０００４】
ところで、上記従来例の器具本体は、天井から垂下されたスタッドボルトをボルト用開口部に挿通し、ボルト用開口部から突出するスタッドボルトのネジ部にナットを螺合して天井位置に取り付けられる。したがって、上記従来例では、天井に設置される際にボルト用開口部を覆っている反射板を底板から取り外し、器具本体をスタッドボルトに取り付けた後に再度反射板を底板に取り付ける必要がある。そのため、上記従来例では、底板から取り外した反射板の扱いに手間がかかるので、施工作業の作業性の向上を図ることが望まれていた。
【０００５】
本発明の目的は、施工作業の作業性の向上を図ることができる照明装置を提供することである。
【課題を解決するための手段】
【０００６】
本発明の一態様に係る照明装置は、平板状の取付板と、前記取付板の一面における第１領域に取り付けられる光源と、前記取付板の前記一面において前記第１領域を除く第２領域に取り付けられるカバー部材とを備える。前記カバー部材は、前記取付板に設けられている第１の被取付部に着脱可能に取り付けられる第１取付部と、前記取付板に設けられている第２の被取付部に着脱可能に取り付けられる第２取付部とを有している。前記第２の被取付部は、前記取付板の前記一面に開口して前記第２取付部の少なくとも一部が挿通される開口部を有している。前記第２取付部は、前記第１取付部が前記第１の被取付部に取り付けられていない状態において前記取付板の前記一面と反対側の面における前記開口部の周囲に引っ掛かる引掛片を有している。
【発明の効果】
【０００７】
本発明の照明装置は、施工作業の作業性の向上をはかることができるという効果がある。
【図面の簡単な説明】
【０００８】
【図１】図１は、本発明の一実施形態に係る照明装置の斜視図である。
【図２】図２は、同上の照明装置の分解斜視図である。
【図３】図３は、同上の照明装置における光源ユニットの分解斜視図である。
【図４】図４は、同上の光源ユニットの斜視図である。
【図５】図５は、同上の光源ユニットの一部分の斜視図である。
【図６】図６は、同上の光源ユニットを示し、カバー部材を吊り下げた状態の下から見た斜視図である。
【図７】図７は、同上の光源ユニットを示し、カバー部材を吊り下げた状態の上から見た斜視図である。
【図８】図８は、同上の光源ユニットを示し、カバー部材を吊り下げた状態の一部分の斜視図である。
【図９】図９Ａは、同上の光源ユニットにおけるカバー部材の一方の第２取付部を示し、一方の第２取付部が一方の第２の被取付部に取り付けられた状態の断面図である。図９Ｂは、同上の光源ユニットにおけるカバー部材の他方の第２取付部を示し、他方の第２取付部が他方の第２の被取付部に取り付けられた状態の断面図である。
【図１０】図１０は、同上の照明装置を示し、カバー部材を吊り下げた状態の一部分の断面図である。
【発明を実施するための形態】
【０００９】
本発明の一実施形態に係る照明装置について、図面を参照して詳細に説明する。なお、以下に説明する実施形態の照明装置は、天井に設けられた孔に埋め込まれるようにして天井に取り付けられる。ただし、照明装置は、天井に直付けされるか、あるいは壁に取り付けられてもかまわない。また、以下の説明では、特に断りのない限り、図２に示す向きにおいて、照明装置の上下、左右、前後の各方向を規定する。なお、以下の実施形態で説明する構成は本発明の一例にすぎない。本発明は、以下の実施形態に限定されず、本発明に係る技術的思想を逸脱しない範囲であれば、設計等に応じて種々の変更が可能である。
【００１０】
本実施形態の照明装置１は、図１及び図２に示すように光源ユニット２と、本体１０とを備える。本体１０は、例えば、吊りボルトに固定され、天井に設けられた孔に埋め込まれるようにして天井に取り付けられる。光源ユニット２は、本体１０に対して着脱可能に取り付けられる。
【００１１】
本体１０は、角筒状の枠体１１と、矩形平板状のベース板１２とが結合されることにより、下面が開放された正方形の箱状に形成されている（図２参照）。ベース板１２は、給電用の電源線が挿通される挿通孔１２０が設けられている。挿通孔１２０に挿通される電源線は、ベース板１２の下面に固定される端子台１３に電気的に接続される。端子台１３は、図示しない接続部に電線の一端が接続される。そして、この電線の他端が、電源装置７（図４参照）に電気的に接続される。ゆえに、外部電源（商用の交流電源など）から端子台１３を介して電源装置７に交流電力が給電される。また、ベース板１２は、図示しない吊りボルトが挿通される複数（図示は２つ）のボルト挿通孔１２１が左右方向に一列に並べて設けられている（図２参照）。また、枠体１１の前後両側には、いわゆるラッチ１４が左右方向に間隔を空けて２つずつ取り付けられている。ただし、図２では後側の２つのラッチ１４のみを図示している。そして、後述するように、これら４つのラッチ１４によって光源ユニット２が本体１０に取り付けられている。また、枠体１１の左の側面に角穴からなる引掛孔１１０が設けられている（図２参照）。
【００１２】
光源ユニット２は、図２〜図４に示すように、３つの光源モジュール３と、３つの透光カバー５と、２つのカバー部材４と、取付板６と、電源装置７と、引掛金具８とを有している。
【００１３】
取付板６は、鋼板などの金属板によって概ね正方形に形成されている。取付板６の前端及び後端から、一対の支持部６２がそれぞれ曲げ起こされている（図４参照）。これら一対の支持部６２はそれぞれ、縦片６２０と横片６２１を有している。縦片６２０は、矩形板状であって、取付板６の前端の縁及び後端の縁から上向きに立ち上がっている。横片６２１は、矩形板状であって、縦片６２０の上端から取付板６の上面とほぼ平行に突出している。さらに、横片６２１は、横片６２１の長手方向の両端及び中央よりも幅の広い、一対の幅広部６２２を有している。一対の幅広部６２２はそれぞれ、角孔からなる固定孔６２３が設けられている。なお、取付板６の前後両端において、一対の支持部６２がそれぞれ有している一対の幅広部６２２と対向する位置に、合計４つの操作孔６３が開口している。これら４つの操作孔６３はそれぞれ、人の手が挿通可能な大きさに形成されている（図４参照）。
【００１４】
引掛金具８は、取付板６の上面における左端寄りの前後方向の中央から、取付板６の左方に突出している（図３及び図４参照）。引掛金具８の左端部分が本体１０（枠体１１）に設けられている引掛孔１１０に挿通され、枠体１１における引掛孔１１０の縁に引っ掛かるように構成されている。
【００１５】
電源装置７は、プリント配線板に電子部品が実装されて構成される電源回路と、前記電源回路を収容するケース７０とを有している（図４参照）。電源回路は、例えば、電源線を介して供給される交流電圧を昇圧する昇圧チョッパ回路、昇圧チョッパ回路の出力電圧（直流電圧）を降圧する降圧チョッパ回路、昇圧チョッパ回路及び降圧チョッパ回路を制御する制御回路などで構成されることが好ましい。ケース７０は、図４に示すように、金属製の板材によって長尺の箱状に形成されている。電源装置７は、ケース７０の長手方向（左右方向）の両端部分が取付板６にねじ止めされることによって、取付板６の上面に取り付けられている（図４参照）。
【００１６】
３つの光源モジュール３は全て同じ構成を有しているので、１つの光源モジュール３について説明する。光源モジュール３は、図３に示すように、長尺の基板３０と、基板３０の表面（下面）に実装されている複数の固体光源と、コネクタ３２とを有している。複数の固体光源はそれぞれ、白色光を放射する発光ダイオード（ＬＥＤ：Light Emitting Diode）３１である。これら複数のＬＥＤ３１は、基板３０の下面において、基板３０の長手方向（前後方向）に沿って等間隔かつ２列に並ぶように配置されて実装されている。また、基板３０の下面における前端にコネクタ３２が実装されている。コネクタ３２は、基板３０の下面に形成されている導体（銅はく）を介して、複数のＬＥＤ３１のそれぞれと電気的に接続されている。なお、コネクタ３２は、電線の先端に設けられているプラグと抜き差し可能に接続される。電線は、電源装置７と電気的に接続されている。電源装置７から出力される直流電流が電線を介して光源モジュール３に供給される。
【００１７】
３つの光源モジュール３はそれぞれ、基板３０の長手方向を取付板６の前後方向に一致させ、取付板６の左右方向に等間隔に並んだ状態で取付板６の下面に取り付けられている（図３参照）。より詳細には、基板３０は、厚み方向（上下方向）に貫通する複数（６つ）の取付孔３３を有している。これら６つの取付孔３３のうちの３つの取付孔３３が、基板３０の長手方向（前後方向）に沿って等間隔に並ぶように、基板３０の右端に配置されている。また、６つの取付孔３３のうちの残り３つの取付孔３３が、基板３０の長手方向（前後方向）に沿って等間隔に並ぶように、基板３０の左端に配置されている。なお、これら６つの取付孔３３は角孔からなり、長手方向を基板３０の長手方向に一致させる向きに設けられている（図３参照）。そして、これらの取付孔３３のそれぞれに、取付板６に設けられている複数の取付部６０が１つずつ挿通されている。複数の取付部６０はそれぞれ、取付板６が鈎形に切り起こされて形成されている。基板３０は、６つの取付孔３３のそれぞれに取付部６０が１つずつ挿通された状態で、（基板３０の）長手方向（前後方向）に移動させられることにより、複数の取付部６０のそれぞれと取付板６の間に挟まれて取付板６に取り付けられている（図３参照）。
【００１８】
３つの透光カバー５は全て同じ構成を有しているので、１つの透光カバー５について説明する。透光カバー５は、図３に示すように、カバー本体５０と、２つのカバーエンド５１とを有している。さらに、カバー本体５０は、本体部５００と、一対の突片５０１とを有している。本体部５００は、概ね半円筒形状に形成されている。一対の突片５０１はそれぞれ、矩形板状に形成されている。また、一対の突片５０１はそれぞれ、本体部５００の左端及び右端から互いに近付く向きに突出している。一対の突片５０１のそれぞれの長手方向（前後方向）の長さは、本体部５００の長手方向の長さにほぼ等しいことが好ましい。なお、本体部５００と一対の突片５０１は、アクリル樹脂やポリカーボネート樹脂などの透光性を有する合成樹脂の成形体として一体に形成されている。
【００１９】
カバー本体５０の一対の突片５０１はそれぞれ、取付板６に設けられている複数（図示例では１２個）の引掛部６１のうちの対応する引掛部６１に引っ掛けられる（図３参照）。複数の引掛部６１はそれぞれ、鉤形に形成されている。また、１２個の引掛部６１のうちの半分（６個）の引掛部６１はそれぞれ、光源モジュール３の右方に、光源モジュール３の長手方向（前後方向）に沿って１列に並ぶように配置されている。さらに、１２個の引掛部６１のうちの残り半分（６個）の引掛部６１はそれぞれ、光源モジュール３の左方に、光源モジュール３の長手方向（前後方向）に沿って１列に並ぶように配置されている（図３参照）。これら１２個の引掛部６１はそれぞれ、取付板６の下面との間に空間を形成している。カバー本体５０の右方の突片５０１は、光源モジュール３の右方に配置されている６個の引掛部６１のそれぞれが取付板６の下面との間に形成している空間に挿入される。また、カバー本体５０の左方の突片５０１は、光源モジュール３の左方に配置されている６個の引掛部６１のそれぞれが取付板６の下面との間に形成している空間に挿入される。このようにカバー本体５０は、一対の突片５０１のそれぞれが６個の引掛部６１に引っ掛けられることで取付板６（の下面）に取り付けられている（図３参照）。
【００２０】
カバーエンド５１は、アクリル樹脂やポリカーボネート樹脂などの透光性を有する合成樹脂の成形体で構成され、主壁部５１０、一対のベース部５１１、周壁部５１２、一対の取付爪５１３及び一対の押さえ部５１４を一体に有している（図３及び図４参照）。主壁部５１０は、概ね半円形状に形成されている。一対のベース部５１１はそれぞれ、矩形板状に形成されている。一対のベース部５１１はそれぞれ、主壁部５１０の上端から主壁部５１０の厚み方向（前後方向）に沿って突出している。なお、一対のベース部５１１は、距離を空けて、主壁部５１０の上端における左右両端に配置されている。周壁部５１２は、主壁部５１０の周縁に沿ってベース部５１１と同じ側に突出し、かつ、湾曲した板状に形成されている（図３参照）。一対の取付爪５１３はそれぞれ、概ね鈎形に形成されている。また、一対の取付爪５１３はそれぞれ、一対のベース部５１１のうちの対応するベース部５１１の上面と対向し、かつ、対応するベース部５１１の上面との間に隙間を形成している。一対の押さえ部５１４はそれぞれ、帯状に形成されている。また、一対の押さえ部５１４はそれぞれ、対応するベース部５１１の下面から、主壁部５１０の厚み方向（前後方向）に突出している。
【００２１】
カバーエンド５１は、一対の取付爪５１３によって取付板６に取り付けられている。より詳細には、一対の取付爪５１３のそれぞれと、対応するベース部５１１の上面との間の隙間に取付板６が差し込まれることにより、カバーエンド５１が取付板６に取り付けられている（図３及び図４参照）。なお、一つのカバーエンド５１のそれぞれの周壁部５１２は、カバー本体５０の長手方向（前後方向）の端部とかん合されている（図３参照）。
【００２２】
２つのカバー部材４はそれぞれ、取付板６の下面において隣合う３つの光源モジュール３の間にそれぞれ生じる２箇所のスペースのうちの対応するスペース（第２領域）に配置される（図１〜図３参照）。つまり、カバー部材４は、取付板６の下面において光源（光源モジュール３及び透光カバー５）が取り付けられる領域（第１領域）を除く第２領域に取り付けられる。２つのカバー部材４はそれぞれ、カバー板４０と、複数（図示例では４つ）の第１取付部４１と、複数（図示例では２つ）の第２取付部４２とを有している。さらに、２つのカバー部材４はそれぞれ、一対の側板４３を有している。
【００２３】
カバー板４０は、長尺の矩形の金属板が長手方向に沿ってＶ字状に折り曲げられた形状に形成されている。一対の側板４３はそれぞれ、幅（上下方向に沿った幅）の狭い矩形板状に形成され、カバー板４０の左右両側の上端から上向きに突出している（図３参照）。
【００２４】
４つの第１取付部４１はそれぞれ、側板４３よりも幅が広く、かつ、長手方向（前後方向）の寸法が短い矩形板状に形成されている。そして、４つの第１取付部４１のうちの２つの第１取付部４１はそれぞれ、カバー板４０の右側の上端における前後の両端近くから上向きに突出している（図３参照）。また、４つの第１取付部４１のうちの残り２つの第１取付部４１はそれぞれ、カバー板４０の左側の上端における前後の両端近くから上向きに突出している（図４参照）。
【００２５】
４つの第１取付部４１はそれぞれ、第１引掛孔４１０と、第２引掛孔４１１とを有している（図３〜図５参照）。第１引掛孔４１０は、上下方向の幅よりも前後方向の幅が広い角孔である。また、第２引掛孔４１１は、上下方向の幅よりも前後方向の幅が狭い角孔である。第１引掛孔４１０と第２引掛孔４１１とは、前後方向に並ぶように配置されている。これら４つの第１取付部４１はそれぞれ、４つの第１取付部４１に一対一に対応して設けられている挿通孔６５に挿通されている（図３〜図５参照）。
【００２６】
一方、取付板６は、複数（図示例では８つ）の挿通孔６５と、複数の挿通孔６５と一対一に対応する複数（図示例では８つ）の固定部６６（第１の被取付部）とを有している（図４参照）。８つの挿通孔６５はそれぞれ、左右方向の幅よりも前後方向の幅が広い角孔であり、取付板６を厚み方向（上下方向）に貫通している。なお、８つの挿通孔６５は、左右方向に沿って４列に並び、前後方向に沿って２列に並ぶように配置されている。８つの固定部６６はそれぞれ、取付板６から上向きに切り起こされて形成されている（図５参照）。つまり、８つの挿通孔６５はそれぞれ、対応する固定部６６が切り起こされた後に生じる孔で形成されている。また、８つの固定部６６はそれぞれ、第１固定爪６６０と、第２固定爪６６１とを有している。第１固定爪６６０は、台形状に形成されている（図５参照）。第１固定爪６６０は、固定部６６の上端から取付板６の上面と平行に突出している。第２固定爪６６１は、三角形状に形成されている（図５参照）。第２固定爪６６１は、固定部６６の側面から取付板６の上面と垂直に突出している。
【００２７】
第１取付部４１が取付板６の下面側から挿通孔６５に挿通されると、固定部６６が第１取付部４１に押されて撓んだ後、第１固定爪６６０が第１取付部４１の第１引掛孔４１０に挿通され、第２固定爪６６１が第１取付部４１の第２引掛孔４１１に挿通される。そして、第１固定爪６６０が第１引掛孔４１０の縁に引っ掛かり、第２固定爪６６１が第２引掛孔４１１の縁に引っ掛かることによって、第１取付部４１が固定部６６に固定される（図４及び図５参照）。
【００２８】
ここで、２つの第２取付部４２は、４つの第１取付部４１が４つの固定部６６に固定されていない（第１の被取付部に取り付けられていない）状態で取付板６の２つの第２の被取付部のうちの対応する第２の被取付部に取り付けられる（図６〜図８参照）。なお、第２の被取付部は、取付板６における挿通孔６５の縁及び挿通孔６５の周縁部分である。
【００２９】
各第２取付部４２は、カバー板４０の右端にある２つの第１取付部４１のうちの対応する第１取付部４１の上端から外向き（右向き）に突出している。第２取付部４２は、図５に示すように、引掛片４２０と規制片４２１とを有している。第２取付部４２のうちで引掛片４２０と規制片４２１を除く部分（以下、主部４２２と呼ぶ場合がある）が矩形平板状に形成されている。規制片４２１は、主部４２２の基端側（主部４２２の第１取付部４１との境界側）における前端から前方へ突出するように形成されている。ただし、規制片４２１の前端における基端側と反対側の角が面取りされている。引掛片４２０は、第２取付部４２の主部４２２の先端側における後端から後方へ突出するように形成されている。ただし、引掛片４２０の後端における基端側の隅の角が面取りされている。
【００３０】
ここで、第２取付部４２の長さ寸法と取付板６の挿通孔６５の長さ寸法との関係について、図９Ａ及び図９Ｂを参照して説明する。挿通孔６５の長手方向（前後方向）の長さをＬ１とする。第２取付部４２の長手方向において主部４２２の後端（図９Ａ及び図９Ｂにおける左端）から規制片４２１の前端（図９Ａ及び図９Ｂにおける右端）までの長さをＬ２とする。第２取付部４２の長手方向において主部４２２の前端（図９Ａ及び図９Ｂにおける右端）から引掛片４２０の後端（図９Ａ及び図９Ｂにおける左端）までの長さをＬ３とする。第２取付部４２の長手方向において規制片４２１の前端から引掛片４２０の後端までの長さをＬ４とする。第２取付部４２の２つの長さＬ２とＬ３は等しく、かつ、これらの長さＬ２、Ｌ３は、挿通孔６５の長さＬ１よりも短い。また、第２取付部４２の長さＬ４は、挿通孔６５の長さＬ１よりも長い。ただし、第２取付部４２の長さＬ４と挿通孔６５の長さＬ１との差（Ｌ４−Ｌ１）は、主部４２２の後端から引掛片４２０の後端までの長さＬ５よりも短い（Ｌ４−Ｌ１＜Ｌ５）。
【００３１】
したがって、カバー部材４は、２つの第２取付部４２の各々の引掛片４２０を第２の被取付部（取付板６における挿通孔６５の縁及び挿通孔６５の周縁部分）に引っ掛けるようにして取付板６に取り付けられる（図７及び図８参照）。ここで、２つの第２取付部４２のうちで後方に位置する第２取付部４２の規制片４２１は、挿通孔６５を通して取付板６の上面よりも上に突出している（図９Ａ参照）。そのため、カバー部材４の前後方向の移動は、規制片４２１が挿通孔６５の内周面に当たることによって規制されている。その結果、第２取付部４２が取付板６から外れることが抑制されている。
【００３２】
次に、本実施形態の照明装置１の施工手順を説明する。まず、施工作業を行う作業者は、天井に本体１０を設置する。すなわち、作業者は、ベース板１２の挿通孔１２０から電源線を引き込んだ後、天井に設けられている埋込孔に本体１０を挿入し、ベース板１２のボルト挿通孔１２１に挿通した吊りボルトにナットを締め付けて本体１０を吊りボルトに取り付ける。さらに、作業者は、挿通孔１２０から引き込んだ電源線を端子台１３に電気的に接続する。
【００３３】
続いて、作業者は、天井に設置した本体１０に光源ユニット２を取り付ける。まず、作業者は、カバー板４０を左右方向に押して撓ませることにより、４つの第１取付部４１の各々の第１引掛孔４１０及び第２引掛孔４１１から４つの固定部６６の各々の第１固定爪６６０及び第２固定爪６６１を引き抜く。それから、作業者は、カバー部材４を下に引きながら４つの第１取付部４１を取付板６の各挿通孔６５から引き抜く。そして、作業者が取付板６から手を離せば、２つの第２取付部４２が各第２の被取付部に取り付けられることによって、カバー部材４が取付板６から吊り下げられる（図６及び図７参照）。
【００３４】
作業者は、２つのカバー部材４を取付板６から吊り下げた状態にした後、引掛金具８を枠体１１の引掛孔１１０に挿通し、引掛孔１１０の縁に引掛金具８を引っ掛けることにより、光源ユニット２を本体１０に吊り下げる。この状態で、作業者は、端子台１３から引き出されている電線を電源装置７に電気的に接続する。その後、作業者は、光源ユニット２を持ち上げて本体１０内に収容する。このとき、作業者は、取付板６の４つの支持部６２のそれぞれの固定孔６２３にラッチ１４のつまみを挿通する。それから、作業者は、取付板６の操作孔６３に手を入れて４つのラッチ１４のそれぞれのつまみを９０度回転させる。その結果、光源ユニット２（の取付板６）が、４つのラッチ１４によって本体１０に支持される。ここで、カバー部材４が取付板６に吊り下げられた状態において、カバー部材４の長手方向（前後方向）に沿った枠体１１とカバー部材４との距離（隙間）Ｄ１は、カバー部材４の長手方向に沿った引掛片４２０の長さよりも短い（図１０参照）。そのため、取付板６に吊り下げられたカバー部材４が長手方向に沿って移動した場合、カバー部材４が枠体１１に当たることでカバー部材４の移動が枠体１１によって規制され、引掛片４２０が取付板６における挿通孔６５の縁から外れることがない。
【００３５】
最後に、作業者は、取付板６に２つのカバー部材４をそれぞれ取り付ける。まず、作業者は、カバー部材４の４つの第１取付部４１のそれぞれを対応する挿通孔６５に挿通する。作業者が第１取付部４１を取付板６の下面側から挿通孔６５に挿通すると、固定部６６が第１取付部４１に押されて撓んだ後、第１固定爪６６０が第１取付部４１の第１引掛孔４１０に挿通され、第２固定爪６６１が第１取付部４１の第２引掛孔４１１に挿通される。そして、第１固定爪６６０が第１引掛孔４１０の縁に引っ掛かり、第２固定爪６６１が第２引掛孔４１１の縁に引っ掛かることによって、第１取付部４１が固定部６６に固定される（図４及び図５参照）。そして、取付板６に設けられている操作孔６３や挿通孔６５などは、取付板６に取り付けられるカバー部材４によって覆い隠される（図１参照）。以上のようにして、本実施形態の照明装置１の施工作業が完了する。
【００３６】
天井に取り付けられた照明装置１は、外部電源から端子台１３を介して電源装置７に交流電力が供給されたときに電源装置７から各光源モジュール３に直流電力を給電することで各光源モジュール３を点灯させる。各光源モジュール３が点灯すると、光源モジュールから放射される光の一部がカバー部材４のカバー板４０の表面（下面）で反射して下方に照射される。つまり、カバー部材４は、取付板６の操作孔６３などを覆い隠すだけでなく、光源モジュール３から放射される光の一部を反射することで照明装置１の配光特性を調節することができる。
【００３７】
ここで、特許文献１記載の従来例では、照明器具の施工時に器具本体から取り外した反射板の扱いに手間がかかっていた。一方、本実施形態の照明装置１では、上述のようにカバー部材４を取付板６に対して吊り下げるように取り付けることができる。そのため、取付板６を取付板６から取り外さずに光源ユニット２を本体１０に取り付けることができる。その結果、本実施形態の照明装置１は、従来例と比較して、施工作業の作業性の向上を図ることができる。なお、照明装置は、必ずしも本体１０と光源ユニット２を備えている必要はない。例えば、照明装置は、光源（光源モジュール３と透光カバー５）及びカバー部材４が取り付けられた取付板６を造営材（天井又は壁）に直接取り付けるように構成されてもよい。また、照明装置１において、取付板６の下面における第２領域に操作孔６３以外の部材、例えば、端子台１３や電源装置７が配置されても構わない。取付板６の下面における第２領域に端子台１３や電源装置７が配置される場合においても、照明装置１の施工時やメンテナンス時にカバー部材４を取付板６から取り外さずに端子台１３や電源装置７に対する施工作業及びメンテナンス作業を行うことができる。
【００３８】
以上述べた実施形態から明らかなように、本発明の第１の態様に係る照明装置（１）は、平板状の取付板（６）と、取付板（６）の一面における第１領域に取り付けられる光源（光源モジュール３）とを備えている。照明装置（１）は、取付板（６）の前記一面において前記第１領域を除く第２領域に取り付けられるカバー部材（４）を備えている。カバー部材（４）は、取付板（６）に設けられている第１の被取付部（固定部６６）に着脱可能に取り付けられる第１取付部（４１）を有している。カバー部材（４）は、取付板（６）に設けられている第２の被取付部（取付板６及び挿通孔６５）に着脱可能に取り付けられる第２取付部（４２）を有している。第２の被取付部は、取付板（６）の前記一面に開口して第２取付部（４２）の少なくとも一部が挿通される開口部（挿通孔６５）を有している。第２取付部（４２）は、第１取付部（４１）が第１の被取付部に取り付けられていない状態において取付板（６）の前記一面と反対側の面における開口部（挿通孔６５）の周囲に引っ掛かる引掛片（４２０）を有している。
【００３９】
第１の態様に係る照明装置（１）では、カバー部材（４）が有する第２取付部（４２）の引掛片（４２０）が取付板（６）の開口部（挿通孔６５）の周囲に引っ掛かった状態で取付板（６）に吊り下げられる。そのため、第１の態様に係る照明装置（１）では、カバー部材（４）を取付板（６）から取り外さずに施工作業を行うことができる。その結果、第１の態様に係る照明装置（１）は、施工作業の作業性の向上を図ることができる。
【００４０】
本発明の第２の態様に係る照明装置（１）では、第１の態様において、第２取付部（４２）は、規制片（４２１）を有することが好ましい。規制片（４２１）は、引掛片（４２０）が開口部（挿通孔６５）の周囲に引っ掛かっている状態において開口部（挿通孔６５）の内周面に対向して第２取付部（４２）の移動を規制することが好ましい。
【００４１】
第２の態様に係る照明装置（１）では、規制片（４２１）によって第２取付部（４２）の移動を規制しているので、カバー部材（４）が取付板（６）から不用意に脱落することを抑制することができる。
【００４２】
本発明の第３の態様に係る照明装置（１）では、第１又は第２の態様において、第１の被取付部は、取付板（６）の反対側の面から突出する突壁（固定部６６）を有することが好ましい。第１の被取付部は、取付板（６）における突壁（固定部６６）の近傍に開口する穴（挿通孔６５）と、突壁（固定部６６）における穴（挿通孔６５）と向き合う面から突出する突起（第１固定爪６６０及び第２固定爪６６１）とを有することが好ましい。第１取付部（４１）は、穴（挿通孔６５）に挿通された状態で第１の被取付部の突起（第１固定爪６６０及び第２固定爪６６１）とかん合するように構成されていることが好ましい。
【００４３】
第３の態様に係る照明装置（１）では、ねじのような締結部材を使わずにカバー部材（４）を取付板（６）に取り付けることができるので、取付板（６）に対するカバー部材（４）の取付作業の簡素化を図ることができる。
【００４４】
本発明の第４の態様に係る照明装置（１）は、第１〜第３のいずれか１つの態様において、造営材に取り付けられて取付板（６）を支持する本体（１０）と、本体（１０）に対して取付板（６）を着脱可能に固定する固定部材（ラッチ１４）とを備えることが好ましい。固定部材（ラッチ１４）は、取付板（６）の第２領域において取付板（６）を本体（１０）に固定することが好ましい。
【００４５】
第４の態様に係る照明装置（１）では、造営材に取り付けられる本体（１０）に対して取付板（６）を着脱可能に固定するので、施工作業の作業性の更なる向上を図ることができる。
【００４６】
本発明の第５の態様に係る照明装置（１）では、第１〜第３のいずれか１つの態様において、取付板（６）は、造営材に取り付けられる本体（１０）に対して、固定部材（ラッチ１４）によって着脱可能に固定されるように構成されることが好ましい。固定部材（ラッチ１４）は、取付板（６）の第２領域において取付板（６）を本体（１０）に固定することが好ましい。
【００４７】
第５の態様に係る照明装置（１）では、造営材に取り付けられる本体（１０）に対して取付板（６）を着脱可能に固定するので、施工作業の作業性の更なる向上を図ることができる。
【００４８】
本発明の第６の態様に係る照明装置（１）では、第４又は第５の態様において、本体（１０）は、固定部材（ラッチ１４）によって取付板（６）が固定されるベース板（１２）と、ベース板（１２）の周囲を囲う枠体（１１）とを有していることが好ましい。枠体（１１）は、第２取付部（４２）の引掛片（４２０）が開口部（挿通孔６５）の周囲に引っ掛かっている状態においてカバー部材（４）の移動を規制していることが好ましい。
【００４９】
第６の態様に係る照明装置（１）では、枠体（１１）によって第２取付部（４２）の移動を規制しているので、カバー部材（４）が取付板（６）から不用意に脱落することを抑制することができる。
【符号の説明】
【００５０】
１  照明装置
３  光源モジュール（光源）
４  カバー部材
５  透光カバー（光源）
６  取付板
１０  本体
１１  枠体
１４  ラッチ（固定部材）
４１  第１取付部
４２  第２取付部
６５  挿通孔（開口部、穴）
６６  固定部（第１の被取付部、突壁）
４２０  引掛片
４２１  規制片
６６０  第１固定爪（突起）
６６１  第２固定爪（突起）
【図１】
2019009020.tif 000003
【図２】
2019009020.tif 000004
【図３】
2019009020.tif 000005
【図４】
2019009020.tif 000006
【図５】
2019009020.tif 000007
【図６】
2019009020.tif 000008
【図７】
2019009020.tif 000009
【図８】
2019009020.tif 000010
【図９】
2019009020.tif 000011
【図１０】
2019009020.tif 000012